(57)【要約】【課題】操作部付近を操作側に大きく突出させることなしに操作力や操作フィーリングのバリエーションを自由に設定することが可能な多方向スイッチの提供。【解決手段】ケーシング１内に配置された回路基板２と、回路基板２の上面側において回動基部Ｑを中心として任意の方向に傾動可能に設けられたジョイノブ５と、回路基板２の上面でジョイノブ５の回動基部Ｑを中心とする円周上に配置された複数のタクトスイッチ３ａ〜３ｄとを備え、ジョイノブ５の傾動操作に基づく複数のタクトスイッチ３ａ〜３ｄのうちの少なくともいずれか１個の押圧／解除操作によりＯＮ／ＯＦＦ切り換えが行われるように構成された多方向スイッチにおいて、ジョイノブ５の傾動操作に対し操作力および操作フィーリングを付与する操作力付与手段が回路基板２を貫通した下方位置に設けられる。【選択図】      図３
2004319181.tif 000002
【特許請求の範囲】
【請求項１】
ケーシング内に配置された回路基板と、該回路基板の上面側において回動基部を中心として任意の方向に傾動可能に設けられた操作部と、前記回路基板の上面で前記操作部の回動基部を中心とする円周上に配置された複数のスイッチとを備え、
前記操作部の傾動操作に基づく前記複数のスイッチのうちの少なくともいずれか１個の押圧／解除操作によりＯＮ／ＯＦＦ切り換えが行われるように構成された多方向スイッチにおいて、
前記操作部の傾動操作に対し操作力および操作フィーリングを付与する操作力付与手段が回路基板を貫通した下方位置に設けられていることを特徴とする多方向スイッチ。
【請求項２】
請求項１に記載の多方向スイッチにおいて、前記操作力付与手段が、前記操作部の回動基部側からさらに下方へ向けて延設さていて前記回路基板を貫通して下方へ突出された摺動案内筒と、該摺動案内筒内に摺動自在に収容されたスライダーと、該スライダーを下方へ向けて押圧摺動するように付勢された押圧スプリングと、該スライダーの下方に設けられていて前記操作部が中立位置にある時にスライダーが落ち込む凹部と、該凹部の開口縁部外周に設けられた円錐状テーパー面とで構成されていることを特徴とする多方向スイッチ。
【請求項３】
請求項１または２に記載の多方向スイッチにおいて、前記スイッチが前記操作部の回動基部を中心として十字の４方向にそれぞれ配置され、
該十字の４方向の中間斜め方向に向けて前記操作部を操作することにより、該操作方向を中心として互いに隣接する２個のスイッチを同時に押圧するように構成されていることを特徴とする多方向スイッチ。
【請求項４】
請求項１〜３のいずれか１項に記載の多方向スイッチにおいて、前記操作部の操作方向を規制する規制手段が備えられていることを特徴とする多方向スイッチ。
【発明の詳細な説明】
【０００１】
【発明の属する技術分野】
本発明は、例えば車両用マルチファンクションスイッチ等のように１つの操作部の操作により複数の機能のＯＮ／ＯＦＦ切り換え操作が可能な多方向スイッチに関する。
【０００２】
【従来の技術】
従来のこの種の多方向スイッチとしては、例えば、図８に示すように、ケーシング１０１の内底部に配置された回路基板１０２と、該回路基板１０２の上面側において回動基部１０３を中心として任意の方向に傾動可能に設けられた操作部１０４と、回路基板１０３の上面で操作部１０４の回動基部１０３を中心とする十字方向傾動位置に配置されていて操作部１０４の傾動による押圧および押圧解除により開閉する４個の押しボタンスイッチ１０５と、回路基板１０２と操作部１０４の回動基部１０３との間に設けられていて操作部１０４の傾動操作に対し操作力や操作フィーリングを付与するための操作力付与手段１０６とを備えているものがある（特許文献１参照。）。
【０００３】
【特許文献１】
特開２０００−１２３６９０号公報  （明細書（２）頁、図４）
【０００４】
【発明が解決しようとする課題】
しかしながら、従来例の多方向スイッチにあっては、上述のように、操作力付与手段１０６が回路基部１０２と操作部１０４の回動基部１０３との間に設けられた構造であるため、操作フィーリングを出すために操作部１０４の傾動操作量を大きくしたり操作部１０４の操作力を大きく設定しようとすると、回路基板１０２より上方のユニット深さが増大して操作部付近が大きく突出するという問題がある。
【０００５】
また、信号入力の数に応じた押しボタンスイッチ１０５が必要になるため、コストが高くつくという問題がある。
また、操作部１０４はいずれの方向にも傾動可能でその操作方向が押しボタンスイッチ１０５方向だけに規制されたものではないため、誤操作する虞があるという問題がある。
【０００６】
本発明は、上記問題点に着目してなされたもので、その目的とするところは、操作部付近を操作側に大きく突出させることなしに操作力や操作フィーリングのバリエーションを自由に設定することが可能な多方向スイッチを提供することにあり、確実な操作をさせるための操作感が得られるようにすること、コストを低減すること、および、誤操作の虞をなくすことを追加の目的とするものである。
【０００７】
【課題を解決するための手段】
上記課題を解決するため請求項１記載の多方向スイッチは、ケーシング内に配置された回路基板と、該回路基板の上面側において回動基部を中心として任意の方向に傾動可能に設けられた操作部と、前記回路基板の上面で前記操作部の回動基部を中心とする円周上に配置された複数のスイッチとを備え、前記操作部の傾動操作に基づく前記複数のスイッチのうちの少なくともいずれか１個の押圧／解除操作によりＯＮ／ＯＦＦ切り換えが行われるように構成された多方向スイッチにおいて、前記操作部の傾動操作に対し操作力および操作フィーリングを付与する操作力付与手段が回路基板を貫通した下方位置に設けられていることを特徴とする手段とした。
【０００８】
請求項２記載の多方向スイッチは、請求項１記載の多方向スイッチにおいて、前記操作力付与手段が、前記操作部の回動基部側からさらに下方へ向けて延設されていて前記回路基板を貫通して下方へ突出された摺動案内筒と、該摺動案内筒内に摺動自在に収容されたスライダーと、該スライダーを下方へ向けて押圧摺動するように付勢された押圧スプリングと、該スライダーの下方に設けられていて前記操作部が中立位置にある時にスライダーが落ち込む凹部と、該凹部の開口縁部外周に設けられた円錐状テーパー面とで構成されていることを特徴とする手段とした。
【０００９】
請求項３記載の多方向スイッチは、請求項１または２に記載の多方向スイッチにおいて、前記スイッチが前記操作部の回動基部を中心として十字の４方向にそれぞれ配置され、該十字の４方向の中間斜め方向に向けて前記操作部を操作することにより、該操作方向を中心として互いに隣接する２個のスイッチを同時に押圧するように構成されていることを特徴とする手段とした。
【００１０】
請求項４記載の多方向スイッチは、請求項１〜３のいずれか１項に記載の多方向スイッチにおいて、前記操作部の操作方向を規制する規制手段が備えられていることを特徴とする手段とした。
【００１１】
【作用および効果】
請求項１記載の多方向スイッチでは、上述のように構成されるため、操作部が中立位置にある状態から、回動基部を中心として操作部を傾動させると、該傾動操作方向に応じ、該傾動方向の回路基板上に配置されたスイッチを押圧して該スイッチがＯＮに切り換えられる。そして、操作部を元の中立位置に戻すことにより、スイッチがＯＦＦ状態となる。
【００１２】
また、回路基板を貫通した下方位置に設けられた操作力付与手段によって、操作部の傾動操作に対し操作力および操作フィーリングが付与され、これにより、確実な操作をさせるための操作フィーリングが得られるようになる。
【００１３】
以上のように、操作部の傾動操作に対し操作力および操作フィーリングを付与する操作力付与手段が回路基板を貫通した下方位置に設けられることで、回路基板を貫通した下方で操作部の操作力や操作フィーリングを設定することができるようになり、これにより、操作部付近を操作側に大きく突出させることなしに操作力や操作フィーリングのバリエーションを自由に設定することが可能になるという効果が得られる。
【００１４】
請求項２記載の多方向スイッチでは、上述のように構成されるため、操作部が中立位置にある時は、操作部における摺動案内筒内に収容されたスライダーが押圧スプリングの付勢力によって凹部内に落ち込んだ状態に維持されるため、操作部を中立位置に維持させることができる。
【００１５】
そして、スイッチ操作のためにこの中立位置から操作部を傾動操作すると、凹部に落ち込んだ状態のスライダーが押圧スプリングの付勢力に抗して該凹部の開口縁部を乗り上げ、その時の衝撃が振動および音として操作者に伝わるため、スイッチ操作が行われたことを確認することができる。
従って、確実な操作をさせるための操作フィーリングが得られるようになる。
【００１６】
また、以上のように、スイッチ操作によってスライダーが押圧スプリングの付勢力に抗して該凹部の開口縁部を乗り上げる時の抵抗により操作力が得られると共に、スライダーが乗り上げた凹部の開口縁部外周が円錐テーパー面に形成されているため、スライダーが凹部から離れるにつれて押圧スプリングの付勢力が強くなり、これにより、操作部を傾動操作する際の操作力が得られる。
そして、この操作力や操作フィーリングは、押圧スプリングのバネ圧や円錐テーパー面のテーパー角度を変えることにより強弱の変更が可能であり、また、操作部の回動基部から凹部までの距離を変えることによっても強弱の変更が可能である。
【００１７】
以上のように、回路基板の下方（裏面側）で操作部の操作力や操作フィーリングを設定することができるため、操作部付近を操作側に大きく突出させることなしに操作力や操作フィーリングのバリエーションを自由に設定することが可能になるという効果が得られる。
【００１８】
なお、スイッチ操作を終了させる時は、操作部から手を離すことにより、押圧スプリングの付勢力がスライダーを円錐テーパー面に沿って凹部方向へ押圧する方向に作用し、これにより、スライダーが再び凹部内に落ち込んで、操作部を中立位置に自動復帰させることができる。
【００１９】
請求項３記載の多方向スイッチでは、上述のように、十字の４方向の中間斜め方向に向けて操作部を操作することにより、該操作方向を中心として互いに隣接する２個のスイッチを同時に押圧するようになる。
従って、互いに隣接する２個のスイッチが同時にＯＮすることを信号入力条件とすることにより、４個のスイッチのみで十字方向の４方向の他に斜め４方向の合計８方向の信号入力が可能となり、これにより、スイッチ個数の削減により、コストの低減化が可能となる。
【００２０】
請求項４記載の多方向スイッチでは、上述のように、操作部の操作方向が規制手段により規制されるため、誤操作の虞をなくすことができるようになる。
【００２１】
【発明の実施の形態】
以下にこの発明の実施の形態を図面に基づいて説明する。
この発明の実施の形態の多方向スイッチは、請求項１〜４に記載の多方向スイッチに対応する。
まず、この発明の実施の形態の多方向スイッチを図面に基づいて説明する。
【００２２】
図１はこの発明の実施の形態の多方向スイッチを示す分解斜視図、図２は同平面図、図３は図２のＡ−Ａ線における拡大縦断面図、図４は図２のＢ−Ｂ線における拡大縦断面図、図５は図２のＣ−Ｃ線における拡大縦断面図、図６は図２のＤ−Ｄ線における拡大横断平面図、図７は図２のＥ−Ｅ線における拡大横断底面図であり、これらの図に示すように、この発明の実施形態の多方向スイッチは、ケーシング１と、回路基板２と、タクトスイッチ３ａ〜３ｄ、プレートベース４と、ジョイノブ（操作部）５と、ホルダー（摺動案内筒）６と、ユニバーサルジョイント７と、スライダー８と、コイルスプリング（押圧スプリング）９と、摺動プレート１０とを主な構成として備えている。
【００２３】
さらに詳述すると、前記ケーシング１は、下部ケーシング１１と上部ケーシング１２とで構成されている。下部ケーシング１１は、有底円筒状に形成されその上端開口縁部側には外向き環状段部１１ａ、１１ｂをそれぞれ介して中径部１１ｃと大径部１１ｄが形成されている。また、上部ケーシング１２はその中央に大径孔１２ａを有する環状に形成されていて、下部ケーシング１１における大径部１１ｄの外周４個所に突出形成された係合爪１１ｅに対し係合孔１２ｂを係合させることにより、外向き環状段部１１ｂの上面に組み付け固定されている。
【００２４】
前記回路基板２は、８角形でその中央部に方形の貫通穴２ａが形成されていて、該回路基板２の上面で貫通穴２ａを中心とする十字の４方向にはそれぞれタクトスイッチ３ａ〜３ｄが配置されている。また、タクトスイッチ３ｄの内側にもタクトスイッチ３ｅが配置されている。そして、この回路基板２は、下部ケーシング１１における外向き環状段部１１ａの上面に環状スペーサ２ｂを介して組み付けられている。
【００２５】
前記プレートベース４は、回路基板２の上面に重ねた状態で組み付け配置されるもので、回路基板２とほぼ同形の８角形でその中央部に方形の貫通穴４ｆが形成されている。そして、この貫通穴４ｆの一方の対向する開口縁部には軸受板４１，４１が立設されている。また、プレートベース４には各タクトスイッチ３ａ〜３ｅを貫通させるための穴４ａ〜４ｅが形成されている。
【００２６】
また、プレートベース４の裏面２個所には、ねじ孔４ｇを有するボス部４ｈが突出形成され、このボス部４ｈを貫通させるための穴２ｃが回路基板２に形成されている（図１、５参照）。
そして、下部ケーシング１１における外向き環状段部１１ａの２個所に有する窪み部１１ｆ，１１ｆに形成された孔１１ｇ，１１ｇから挿入した固定ねじ１３，１３を各ボス部４ｈ，４ｈのねじ孔４ｇ，４ｇに螺合することにより、環状スペーサ２ｂ、回路基板２およびプレートベース４が下部ケーシング１１に対して締結固定されている。
【００２７】
前記ジョイノブ（操作部）５は、上部ケーシング１２の中央に形成された大径孔１２ａよりは小径の円板状に形成され、その中央部には後述のプッシュノブ５１を摺動自在に組み込むための組付穴５ｅが形成された円板状に形成されている。また、ジョイノブ５の外周部裏面には、各タクトスイッチ３ａ〜３ｄを押圧するための押圧片５ａ〜５ｄが突出形成されている。
【００２８】
前記ホルダー（摺動案内筒）６は、略角筒状でかつ軸方向略中間部に隔壁６ａを有する断面Ｈ状に形成されていて、該隔壁６ａの上部側中空部内にプッシュノブ５１が軸方向摺動可能に収容されている。このプッシュノブ５１は、タクトスイッチ３ｅを押圧するためのノブであり、その一側面からタクトスイッチ３ｅを押圧するための押圧片５１ａが突出形成され、ホルダー６の上端開口縁部には、この押圧片５１ａを軸方向移動可能に案内するためのスリット６ｂが形成されている。そして、前記プッシュノブの中空部内にはその下端を隔壁６ａに当接係止させた状態でコイルスプリング５２が圧縮状態で収容されている。
【００２９】
前記ユニバーサルジョイント７は、ベースプレート４に対し回動基部Ｑを中心としてジョイノブ５を任意の方向に傾動可能に支持する支持部材を構成するもので、プレートベース４における両軸受板４１，４１とホルダー６との間に略方形筒状のジョイント７１を介装することによって構成されている。
【００３０】
即ち、このジョイント７１における互いに対向する側壁同士のうちの一方の対向側壁面に形成された軸支孔７１ａ，７１ａに対し、ホルダー６の外面に突出形成された一対の支軸６ｃ，６ｃを回動自在に軸支させると共に、もう一方の対向側壁面の外面に突出形成された支軸７１ｂ，７１ｂを、軸受板４１，４１に形成された軸支孔４１ａ，４１ａに対し回動自在に軸支させることにより、支軸６ｃ，６ｃと支軸７１ｂ，７１ｂとの交点（回動基部Ｑ）を中心としてホルダー６（およびジョイノブ５）が任意の方向に傾動可能に支持されている。
【００３１】
また、前記ホルダー６はその下半部分が回路基板２の貫通孔２ａおよびプレートベース４の貫通穴４ｆを貫通して下方へ突出されている。
そして、このホルダー６における隔壁６ａの下部側中空部内には前記スライダー８が軸方向摺動可能に収容されると共に、隔壁６ａとスライダー８との間に前記コイルスプリング９が圧縮状態で介装されていて、このコイルスプリング９によりスライダー８が摺動プレート１０方向に向けて押圧摺動するように付勢されている。
【００３２】
前記摺動プレート１０は、スライダー８の下方に位置する下部ケーシング１１の内底面で構成されていて、この摺動プレート１０の中心部には、ジョイノブ５が中立位置にある時にスライダー５の下端が落ち込む凹部１０ａが形成され、該凹部１０ａの開口縁部外周には円錐状テーパー面１０ｂが形成されると共に、凹部１０ａの開口縁部から円錐状テーパー面１０ｂにかけて該円錐状テーパー面１０ｂに沿ったテーパー状摺動案内溝（規制手段）１０ｃが、ジョイノブ５の操作方向である十字方向の４方向および斜め４方向の合計８方向に向けて形成されている。
【００３３】
以上のように、この発明の実施の形態では、前記ホルダー（摺動案内筒）６と、スライダー８と、コイルスプリング（押圧スプリング）９と、摺動プレート１０とで特許請求の範囲に記載の操作力付与手段が構成されている。
なお、１４はコネクターを示す。
【００３４】
次に、この発明の実施の形態の作用・効果を説明する。
この発明の実施の形態の多方向スイッチでは、上述のように構成されるため、図３（イ）および図４（イ）に示すようにジョイノブ５が中立位置にある状態から、回動基部Ｑを中心としてジョイノブ５を図３（ロ）および図４（ロ）に示すように十字方向に傾動させると、該傾動操作方向に応じ、該傾動方向の回路基板２上に配置されたタクトスイッチ３ａ〜３ｄのいずれか１つを押圧して該タクトスイッチ３ａ〜３ｄがＯＮに切り換えられる。そして、ジョイノブ５を元の中立位置に戻すことにより、タクトスイッチ３ａ〜３ｄがＯＦＦ状態となる。
【００３５】
また、ジョイノブ５を前記十字方向線の中間方向に向けて傾動操作することにより、該傾動方向にある互いに隣接するタクトスイッチ３ａ，３ｃ、３ｂ，３ｄ、３ｂ，３ｃ、３ａ，３ｄをそれぞれ同時に２個押圧し、これにより、タクトスイッチを同時２個ＯＮに切り換えることができる。
【００３６】
従って、各タクトスイッチ３ａ〜３ｄがそれぞれ単独にＯＮすること以外に、互いに隣接する２個のタクトスイッチ（３ａ，３ｃ、３ｂ，３ｄ、３ｂ，３ｃ、３ａ，３ｄ）がそれぞれ同時にＯＮすることを信号入力条件とすることにより、４個のタクトスイッチ３ａ〜３ｄのみで十字方向の４方向の他に斜め４方向の合計８方向の信号入力が可能となり、これにより、スイッチ個数の削減により、コストの低減化が可能になるという効果が得られる。
【００３７】
また、ジョイノブ５が中立位置にある時は、スライダー８が押圧スプリング９の付勢力によって摺動プレート１０の上面に形成された凹部１０ａ内に落ち込んだ状態に維持させるため、ジョイノブ５を中立位置に維持させることができる。
【００３８】
そして、スイッチ操作のためにこの中立位置からジョイノブ５を傾動操作すると、凹部１０ａに落ち込んだ状態のスライダー８が押圧スプリング９の付勢力に抗して該凹部１０ａの開口縁部を乗り上げ、その時の衝撃が振動および音として操作者に伝わるため、スイッチ操作が行われたことを確認することができるようになるもので、これにより、確実な操作をさせるための操作感が得られるようになるという効果が得られる。
【００３９】
そして、この操作力や操作フィーリングは、円錐テーパー面１０ｂのテーパー角度を変えることにより強弱の変更が可能であり、また、ジョイノブ５の回動基部Ｑから凹部１０ａまでの距離を変えることによっても強弱の変更が可能である。
【００４０】
以上のように、ジョイノブ５の傾動操作に対し操作力および操作フィーリングを付与する操作力付与手段が回路基板２を貫通した下方位置に設けられることで、回路基板２を貫通した下方でジョイノブ５の操作力や操作フィーリングを設定することができるようになり、これにより、ジョイノブ５付近を操作側に大きく突出させることなしに操作力や操作フィーリングのバリエーションを自由に設定することが可能になるという効果が得られる。
【００４１】
また、スイッチ操作によってスライダー８が乗り上げた凹部１０ａの開口縁部外周が円錐テーパー面１０ｂに形成されているため、スイッチ操作を終了させる時は、ジョイノブ５から手を離すことにより、押圧スプリング９の付勢力がスライダー８を円錐テーパー面１０ｂに沿って凹部１０ａ方向へ押圧する方向に作用し、これにより、スライダー８が再び凹部１０ａ内に落ち込んで、ジョイノブ５を中立位置に自動復帰させることができるようになる。
【００４２】
また、スライダー８のスライド方向が８本のテーパー状摺動案内溝１０ｃにより規制されるため、ジョイノブ５の操作方向が８方向に規制された状態となり、これにより、誤操作の虞をなくすことができるようになるという効果が得られる。
【００４３】
また、ジョイノブ５の中心部に備えたプッシュノブ５１を押圧／解除操作することにより、タクトスイッチ３ｅのＯＮ／ＯＦＦ切り換えを行うことができる。
【００４４】
以上本発明の実施の形態を説明してきたが、本発明は上述の発明の実施の形態に限られるものではなく、本発明の要旨を逸脱しない範囲の設計変更等があっても、本発明に含まれる。
例えば、発明の実施の形態では、各タクトスイッチ３ａ〜３ｄがそれぞれ単独にＯＮすること以外に、互いに隣接する２個のタクトスイッチ（３ａ，３ｃ、３ｂ，３ｄ、３ｂ，３ｃ、３ａ，３ｄ）がそれぞれ同時にＯＮすることを信号入力条件としたが、各タクトスイッチ３ａ〜３ｄがそれぞれ単独にＯＮすることのみを信号入力条件としてもよい。
【００４５】
また、発明の実施の形態では、押圧スプリング９の付勢力と円錐状テーパ面１０ｂによってジョイノブ５を中立位置に自動復帰させるようにしたが、ジョイノブ５自体に自動復帰手段を備えるようにしてもよい。
【００４６】
また、発明の実施の形態では、下部ケーシング１１に対する環状スペーサ２ｂ、回路基板２およびプレートベース４の固定を固定ねじ１３，１３で行ったが、スナップフィット構造とすることにより、固定ねじ１３，１３およびねじ締め工程を省略することができるようになる。
また、発明の実施の形態では、回路基板２およびプレートベース４を８角形としたが、他の多角形や円形の形状としてもよい。
【図面の簡単な説明】
【図１】発明の実施の形態の多方向スイッチを示す分解斜視図である。
【図２】発明の実施の形態の多方向スイッチを示す側面図である。
【図３】図２のＡ−Ａ線における拡大縦断面図である。
【図４】図２のＢ−Ｂ線における拡大縦断面図である。
【図５】図２のＣ−Ｃ線における拡大縦断面図である。
【図６】図２のＤ−Ｄ線における拡大横断平面図である。
【図７】図２のＥ−Ｅ線における拡大横断底面図である。
【図８】従来例の多方向スイッチを示す縦断面図である。
【符号の説明】
Ｑ  回動基部
１  ケーシング
１１  下部ケーシング
１１ａ  環状段部
１１ｂ  環状段部
１１ｃ  中径部
１１ｄ  大径部
１１ｅ  係合爪
１１ｆ  窪み部
１１ｇ  孔
１２  上部ケーシング
１２ａ  大径孔
１２ｂ  係合孔
１３  固定ねじ
１４  コネクター
２  回路基板
２ａ  貫通穴
２ｂ  環状スペーサ
３ａ  タクトスイッチ
３ｂ  タクトスイッチ
３ｃ  タクトスイッチ
３ｄ  タクトスイッチ
４  プレートベース
４ａ  穴
４ｂ  穴
４ｃ  穴
４ｄ  穴
４ｅ  穴
４ｆ  貫通穴
４ｇ  ねじ孔
４ｈ  ボス部
４１  軸受板
４１ａ  軸支孔
５  ジョイノブ（操作部）
５ａ  押圧片
５ｂ  押圧片
５ｃ  押圧片
５ｄ  押圧片
５ｅ  組付穴
５１  プッシュノブ
５１ａ  押圧片
５２  コイルスプリング
６  ホルダー（摺動案内筒）
６ａ  隔壁
６ｂ  スリット
６ｃ  支軸
７  ユニバーサルジョイント
７１  ジョイント
７１ａ  軸支孔
７１ｂ  支軸
８  スライダー
９  コイルスプリング
１０  摺動プレート
１０ａ  凹部
１０ｂ  円錐状テーパー面
１０ｃ  テーパー状摺動案内溝（規制手段）
【図１】
2004319181.tif 000003
【図２】
2004319181.tif 000004
【図３】
2004319181.tif 000005
【図４】
2004319181.tif 000006
【図５】
2004319181.tif 000007
【図６】
2004319181.tif 000008
【図７】
2004319181.tif 000009
【図８】
2004319181.tif 000010